【手続補正書】
【提出日】平成19年10月18日(2007.10.18)
【手続補正１】
【補正対象書類名】明細書
【補正対象項目名】発明の名称
【補正方法】変更
【補正の内容】
【発明の名称】無線通信装置、無線通信装置の制御方法及び記憶媒体
【手続補正２】
【補正対象書類名】明細書
【補正対象項目名】特許請求の範囲
【補正方法】変更
【補正の内容】
【特許請求の範囲】
【請求項１】  無線通信装置であって、
通信状態を監視する無線端末を指定する指定手段と、
前記無線通信装置と、前記指定手段により指定した無線端末との通信状態の変化を判別する判別手段と、
前記判別手段により判別した通信状態の変化を、使用者が識別可能に出力させる出力手段と、
を有することを特徴とする無線通信装置。
【請求項２】  無線端末の端末情報を取得する取得手段を有し、
前記指定手段は、前記取得手段により取得した端末情報に基づいて、通信状態を監視する無線端末を指定することを特徴とする請求項１記載の無線通信装置。
【請求項３】  前記取得手段により取得する端末情報には、無線端末の種別を示す端末属性が含まれ、
前記指定手段は、前記端末属性に基づいて、通信状態を監視する無線端末を指定することを特徴とする請求項２記載の無線通信装置。
【請求項４】  複数の無線端末が共有で利用する端末の端末属性を予め記憶する記憶手段を有し、
前記指定手段は、前記記憶手段により記憶された端末属性の無線端末を指定することを特徴とする請求項３記載の無線通信装置。
【請求項５】  前記取得手段により取得する端末情報には、各無線端末を識別するための識別情報が含まれ、
前記指定手段は、前記識別情報に基づいて、通信状態を監視する無線端末を指定することを特徴とする請求項２から４のいずれか１項に記載の無線通信装置。
【請求項６】  ポーリング方式による集中調整により無線通信を行う場合は、ポーリングをしている装置からポーリングリストを受信し、
前記取得手段は、受信したポーリングリストに基づいて、無線通信が可能な範囲に存在する無線端末の端末情報を取得することを特徴とする請求項２から５のいずれか１項に記載の無線通信装置。
【請求項７】  ポーリング方式による集中調整により無線通信を行う場合は、ポーリングデータに含まれるアドレスに基づいて、無線通信が可能な範囲に存在する無線端末の端末情報を取得することを特徴とする請求項２から５のいずれか１項に記載の無線通信装置。
【請求項８】  同期を取るためのタイミング信号を各無線端末が順次送信する分散調整により無線通信を行う場合は、受信した前記タイミング信号の送信元アドレスに基づいて、無線通信が可能な範囲に存在する無線端末の端末情報を取得することを特徴とする請求項２から５のいずれか1項に記載の無線通信装置。
【請求項９】  使用者による入力を受け付けるための入力手段を有し、
前記指定手段は、前記入力手段による入力に基づいて、通信状態を監視する無線端末を指定することを特徴とする請求項１から８のいずれか１項に記載の無線通信装置。
【請求項１０】  前記判別手段は、前記指定手段により指定した無線端末から送信される信号の受信レベルに基づいて、通信状態の変化を判別することを特徴とする請求項１から９のいずれか１項に記載の無線通信装置。
【請求項１１】  前記判別手段により判別される通信状態の変化は、無線通信が可能な状態から不能な状態への変化、又は、無線通信が不能な状態から可能な状態への変化を含むことを特徴とする請求項１から１０のいずれか１項に記載の無線通信装置。
【請求項１２】  無線通信装置の制御方法であって、
通信状態を監視する無線端末を指定するための指定工程と、
前記無線通信装置と、前記指定工程において指定された無線端末との通信状態の変化を判別する判別工程と、
前記判別工程において判別された通信状態の変化を、使用者が識別可能に出力させるための出力工程と、
を有することを特徴とする無線通信装置の制御方法。
【請求項１３】  請求項１２記載の制御方法の各工程をコンピュータに実行させるためのコンピュータプログラムを格納したことを特徴とするコンピュータ読み取り可能な記憶媒体。
【手続補正３】
【補正対象書類名】明細書
【補正対象項目名】０００１
【補正方法】変更
【補正の内容】
【０００１】
【発明の属する技術分野】
本発明は、無線通信装置、無線通信装置の制御方法及び記憶媒体に関する。
【手続補正４】
【補正対象書類名】明細書
【補正対象項目名】０００８
【補正方法】変更
【補正の内容】
【０００８】
本発明は、無線通信可能エリアを容易に把握することを可能とすることにより、利便性を向上させることを目的とする。
【手続補正５】
【補正対象書類名】明細書
【補正対象項目名】０００９
【補正方法】変更
【補正の内容】
【０００９】
また、本発明は、無線端末を所持した使用者が知らないうちに無線通信可能エリアから出てしまうという問題を回避することを可能とすることにより、利便性を向上させることを目的とする。
【手続補正６】
【補正対象書類名】明細書
【補正対象項目名】００１０
【補正方法】変更
【補正の内容】
【００１０】
また、本発明は、共有サーバや共有プリンタやアクセスポイントなどの複数の無線端末と通信する必要がある場合に、指定された無線端末全ての通信状態を出力することでその無線通信可能エリアを把握することを可能とし、指定された無線端末が通信不能になった場合に通知があることで対応することを可能とすることにより、利便性を向上させることを目的とする。
【手続補正７】
【補正対象書類名】明細書
【補正対象項目名】００１１
【補正方法】変更
【補正の内容】
【００１１】
また、本発明は、無線端末の指定を自動で行うことを可能とすることにより、利便性を向上させることを目的とする。
【手続補正８】
【補正対象書類名】明細書
【補正対象項目名】００１２
【補正方法】変更
【補正の内容】
【００１２】
【課題を解決するための手段】
上記目的を達成するため、本発明は、無線通信装置であって、通信状態を監視する無線端末を指定する指定手段と、前記無線通信装置と、前記指定手段により指定した無線端末との通信状態の変化を判別する判別手段と、前記判別手段により判別した通信状態の変化を、使用者が識別可能に出力させる出力手段と、を有することを特徴とする。
【手続補正９】
【補正対象書類名】明細書
【補正対象項目名】００１３
【補正方法】変更
【補正の内容】
【００１３】
上記目的を達成するため、本発明は、無線通信装置の制御方法であって、通信状態を監視する無線端末を指定するための指定工程と、前記無線通信装置と、前記指定工程において指定された無線端末との通信状態の変化を判別する判別工程と、前記判別工程において判別された通信状態の変化を、使用者が識別可能に出力させるための出力工程と、を有することを特徴とする。
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】削除
【補正の内容】
【手続補正２３】
【補正対象書類名】明細書
【補正対象項目名】００２７
【補正方法】削除
【補正の内容】
【手続補正２４】
【補正対象書類名】明細書
【補正対象項目名】００２８
【補正方法】削除
【補正の内容】
【手続補正２５】
【補正対象書類名】明細書
【補正対象項目名】００２９
【補正方法】削除
【補正の内容】
【手続補正２６】
【補正対象書類名】明細書
【補正対象項目名】００３０
【補正方法】削除
【補正の内容】
【手続補正２７】
【補正対象書類名】明細書
【補正対象項目名】００３１
【補正方法】削除
【補正の内容】
【手続補正２８】
【補正対象書類名】明細書
【補正対象項目名】００３２
【補正方法】削除
【補正の内容】
【手続補正２９】
【補正対象書類名】明細書
【補正対象項目名】００３３
【補正方法】削除
【補正の内容】
【手続補正３０】
【補正対象書類名】明細書
【補正対象項目名】００３４
【補正方法】削除
【補正の内容】
【手続補正３１】
【補正対象書類名】明細書
【補正対象項目名】００３５
【補正方法】削除
【補正の内容】
【手続補正３２】
【補正対象書類名】明細書
【補正対象項目名】００３６
【補正方法】削除
【補正の内容】
【手続補正３３】
【補正対象書類名】明細書
【補正対象項目名】００３７
【補正方法】削除
【補正の内容】
【手続補正３４】
【補正対象書類名】明細書
【補正対象項目名】００３８
【補正方法】削除
【補正の内容】
【手続補正３５】
【補正対象書類名】明細書
【補正対象項目名】００３９
【補正方法】削除
【補正の内容】
【手続補正３６】
【補正対象書類名】明細書
【補正対象項目名】００８７
【補正方法】変更
【補正の内容】
【００８７】
以上説明したように、上記各実施形態によれば、操作者がアクセスを必要とする無線装置を指定し、その指定された無線装置については通信状態を常に監査し、変化があれば操作者に通知したり、或いは指定された無線装置全ての通信状態を操作者に出力するので、操作者が即座に把握することができる。そのため、従来は無線通信可能エリアの制限がどの範囲であるかを把握するのは非常に難しかったが、本発明により、無線通信可能エリアを容易に把握することが可能になり、利便性が向上するという効果がある。また、無線端末は移動が自由であるために、無線端末を所持した使用者が知らないうちに無線通信可能エリアから出てしまうという問題も、指定無線装置の通信不能の通知により回避することが可能になり、利便性が向上するという効果がある。
【手続補正３７】
【補正対象書類名】明細書
【補正対象項目名】００９０
【補正方法】変更
【補正の内容】
【００９０】
【発明の効果】
以上説明したように、本発明によれば、指定された無線端末との通信状態の変化を、使用者が容易に識別することができる。